(57)【特許請求の範囲】
【請求項１】
親機と子機とに分離され、分離状態の前記親機と前記子機とが直接通信により無線接続される通信端末装置であって、
前記親機と前記子機との接合を検出する接合検出部と、
前記親機において電源の状態を示す電力制御状態が電源ＯＮ状態又はスリープ状態であり、且つ前記子機が前記親機と異なる電力制御状態で、前記親機と前記子機とが接合された場合、前記子機の電力制御状態を、前記親機の電力制御状態に一致する状態とする制御を行う電源制御部と、
を備えることを特徴とする通信端末装置。
【請求項２】
前記電源制御部は、前記親機の電力制御状態がスリープ状態で前記子機の電力制御状態が電源ＯＮ状態で前記親機と前記子機とが接合された場合、前記子機の電力制御状態をスリープ状態とする制御を行うことを特徴とする請求項１記載の通信端末装置。
【請求項３】
親機と子機とに分離され、分離状態の前記親機と前記子機とが直接通信により無線接続される通信端末装置によって実行される電源制御方法であって、
前記親機と前記子機との接合を検出するステップと、
前記親機において電源の状態を示す電力制御状態が電源ＯＮ状態又はスリープ状態であり、且つ前記子機が前記親機と異なる電力制御状態で、前記親機と前記子機とが接合された場合、前記子機の電力制御状態を、前記親機の電力制御状態に一致する状態とする制御を行うステップと、
を含むことを特徴とする電源制御方法。
【請求項４】
親機と子機とに分離され、分離状態の前記親機と前記子機とが直接通信により無線接続される通信端末装置に実行させる電源制御プログラムであって、
前記親機と前記子機との接合を検出する機能と、
前記親機において電源の状態を示す電力制御状態が電源ＯＮ状態又はスリープ状態であり、且つ前記子機が前記親機と異なる電力制御状態で、前記親機と前記子機とが接合された場合、前記子機の電力制御状態を、前記親機の電力制御状態に一致する状態とする制御を行う機能と、
を前記通信端末装置に実行させることを特徴とする電源制御プログラム。
【発明の詳細な説明】
【技術分野】
【０００１】
本発明は、セパレート型携帯電話機等、親機と子機に分離可能な通信端末装置の電源制御に関し、例えば、親機と子機との接合を契機に子機側の電源制御をする通信端末装置、電源制御方法及び電源制御プログラムに関する。
【背景技術】
【０００２】
電話機を外部通信機能と操作機能とに分離し、前者を親機、後者を子機とする分離型電話機が知られている。このような電話機にあっては、分離状態で親機側の機能と、子機側の機能とを独立して利用するため、個別の電源が搭載され、その制御が行われる。
【０００３】
このような電源制御に関し、電話機本体と表示操作部とを分離した携帯電話機にあって、電話機本体の主電源スイッチが表示操作部の電源スイッチの制御に連動して電源のオンオフの制御を行うことが知られている（特許文献１）。
【先行技術文献】
【特許文献】
【０００４】
【特許文献１】特開２００４−１７２８２６号公報
【発明の概要】
【発明が解決しようとする課題】
【０００５】
ところで、親機、子機に分離される電話機では、親機及び子機のそれぞれに電源が搭載され、個別に電源制御が行われ、各機能を個別に実現することができる。
【０００６】
このような分離型の電話機において、機能によっては、分離状態にあった親機と子機とを接合してから実行するようなものが考えられる。その際、ユーザが両者の通電状態に気を配らなければならないとすれば、面倒であり、また、親機及び子機に分離し、個別に電源を搭載した電話機の利便性が損なわれる。
【０００７】
親機と子機とを接合する際に、親機が通電状態又は非通電状態、子機が非通電状態又は通電状態にあることが予想される。このような通電状態又は非通電状態を認識し、ユーザが電源スイッチの操作により、電源制御を行うことは非常に面倒である。
【０００８】
そこで、本開示の通信端末装置、電源制御方法及び電源制御プログラムの目的は、親機、子機に分離される電話機に関し、親機と子機との接合又は分離に応じた電源制御を行い、利便性を高めることにある。
【０００９】
また、本開示の通信端末装置、電源制御方法及び電源制御プログラムの他の目的は、親機、子機に分離される電話機に関し、親機と子機との接合を契機に電力制御状態を切り替え、省電力化を高めることにある。                                              
【課題を解決するための手段】
【００１０】
上記目的を達成するため、本開示の通信端末装置は、親機と子機とに分離され、分離状態の前記親機と前記子機とが直接通信により無線接続される通信端末装置であって、接合検出部と、電源制御部とを備える。前記接合検出部は、前記親機と前記子機との接合を検出する。前記電源制御部は、前記親機において電源の状態を示す電力制御状態が電源ＯＮ状態又はスリープ状態であり、且つ前記子機が前記親機と異なる電力制御状態で、前記親機と前記子機とが接合された場合、前記子機の電力制御状態を、前記親機の電力制御状態に一致する状態とする制御を行う。
【００１１】
上記目的を達成するため、本開示の電源制御方法は、上記通信端末装置によって実行される電源制御方法であって、接合検出ステップと、電源制御ステップとを含んでいる。前記接合検出ステップは、前記親機と前記子機との接合を検出する。前記電源制御ステップは、前記親機において電源の状態を示す電力制御状態が電源ＯＮ状態又はスリープ状態であり、且つ前記子機が前記親機と異なる電力制御状態で、前記親機と前記子機とが接合された場合、前記子機の電力制御状態を、前記親機の電力制御状態に一致する状態とする制御を行う。
【００１２】
上記目的を達成するため、本開示の電源制御プログラムは、上記通信端末装置に実行させる電源制御プログラムであって、接合検出機能と、電源制御機能とを含んでいる。前記接合検出機能は、前記親機と前記子機との接合を検出する。前記電源制御機能は、前記親機において電源の状態を示す電力制御状態が電源ＯＮ状態又はスリープ状態であり、且つ前記子機が前記親機と異なる電力制御状態で、前記親機と前記子機とが接合された場合、前記子機の電力制御状態を、前記親機の電力制御状態に一致する状態とする制御を行う。
【発明の効果】
【００１３】
本開示の通信端末装置、電源制御方法又は電源制御プログラムによれば、次のような効果が得られる。
【００１４】
(1) 親機に子機を接合すれば、親機及び子機の電力制御状態の切替えを連動して制御でき、電力制御状態の切替え操作を簡略化することができる。
【００１５】
(2) 子機の電力制御状態の切替えを親機に連動させるので、子機側の電力制御状態の切替えを省略できるとともに、省電力化を図ることができ、子機側のバッテリの消耗を抑制できる。
【００１６】
そして、本発明の他の目的、特徴及び利点は、添付図面及び各実施の形態を参照することにより、一層明確になる。
【図面の簡単な説明】
【００１７】
【図１】第１の実施の形態に係る通信端末装置の一例を示す図である。
【図２】電源制御の処理手順の一例を示すフローチャートである。
【図３】第２の実施の形態に係るセパレート型携帯電話機の接合状態での電源制御を示す図である。
【図４】分離状態でのセパレート型携帯電話機の電源制御を示す図である。
【図５】分離状態でのセパレート型携帯電話機の電源制御を示す図である。
【図６】分離状態でのセパレート型携帯電話機の電源制御を示す図である。
【図７】分離状態でのセパレート型携帯電話機の電源制御を示す図である。
【図８】セパレート型携帯電話機の親機の機能部を示す図である。
【図９】セパレート型携帯電話機の子機の機能部を示す図である。
【図１０】セパレート型携帯電話機のハードウェアの構成例を示す図である。
【図１１】セパレート型携帯電話機の電源部の構成例を示す図である。
【図１２】セパレート型携帯電話機の一例を示す図である。
【図１３】子機側をスライドさせたセパレート型携帯電話機を示す図である。
【図１４】子機側をスライドさせて裏面側から見たセパレート型携帯電話機を示す図である。
【図１５】子機側をスライドさせて側面側から見たセパレート型携帯電話機を示す図である。
【図１６】分離状態の親機及び子機を示す図である。
【図１７】分離状態の親機を裏面側から見て示した図である。
【図１８】子機側のスライド筐体部をスライドさせて上面側から見た子機を示す図である。
【図１９】子機側のスライド筐体部をスライドさせて側面側から見た子機を示す図である。
【図２０】親子機間接点のピンアサインを示す図である。
【図２１】電源制御の処理手順を示すフローチャートである。
【図２２】電源制御の処理手順を示すフローチャートである。
【図２３】電源制御の処理手順を示すフローチャートである。
【図２４】電源制御の処理手順を示すフローチャートである。
【図２５】電源制御の処理手順を示すフローチャートである。
【図２６】電源制御の処理手順を示すフローチャートである。
【図２７】電源制御の処理手順を示すフローチャートである。
【図２８】電源制御の処理手順を示すフローチャートである。
【図２９】他の実施の形態に係るセパレート型携帯情報端末を示す図である。
【図３０】他の実施の形態に係るセパレート型電話機を示す図である。
【発明を実施するための形態】
【００１８】
〔第１の実施の形態〕
【００１９】
第１の実施の形態は、分離された親機と子機とが接合によって有線接続され、又は近距離通信機能等の、無線基地局を介さない直接通信により無線接続される通信端末装置の電源制御である。なお、以降の他の実施の形態においても、分離状態における親機と子機とは、本実施の形態と同様に直接通信により無線接続されるものとする。この通信端末装置では、親機に子機が接合された場合、親子機間の電源制御を連動させる構成である。また、この通信端末装置では、親機と子機が分離されている場合、親機側から子機の電源を非通電状態に制御する構成である。
【００２０】
この第１の実施の形態について、図１を参照する。図１は、携帯端末装置の一例を示す図である。図１に示す構成は一例であって、斯かる構成に本発明は限定されない。
【００２１】
この通信端末装置２は、本開示の通信端末装置の一例であって、図１に示すように、親機２１と子機２２とに着脱可能に分離される。分離状態では、親機２１と子機２２とが近距離無線通信として例えば、Bluetooth 通信機能により無線接続が可能である。接合状態では、親機２１と子機２２とが有線接続される。なお、本明細書の各実施の形態における" 有線接続" とは、端子間接続等の物理的に親機と子機とが接続されている形態の接続を意味し、無線接続以外のこれらの接続を説明の便宜上“有線接続" というものとする。
【００２２】
この実施の形態では、親機２１には主として無線基地局や通信ネットワークを介して外部と通信する通信機能や、表示機能等が割り当てられ、また、子機２２には主として通話機能や、キー操作機能等が割り当てられている。即ち、親機２１は無線通信部であり、子機２２はユーザインターフェイス部を構成し、これらが分離可能に構成されている。
【００２３】
この実施の形態では、親機２１は接合検出部４と、状態検出部６と、電源制御部８とを備え、子機２２は接合検出部１０と、状態検出部１２と、電源制御部１４とを備えている。
【００２４】
接合検出部４は、親機２１と子機２２との接合（例えば、有線接続状態）を検出する機能部である。この場合、親機２１と子機２２との非接合（即ち、分離）を検出してもよい。ここで、接合とは、親機２１と子機２２とを機械的に連結又は結合している状態であり、また、分離とは、親機２１と子機２２とが非結合状態又は分離状態（例えば、無線接続状態）で、個別に用いられる状態である。
【００２５】
状態検出部６は、親機２１の電力制御状態を検出する機能部である。電力制御状態には、電源がＯＮの状態で通話やメール送信等の機能が使用可能な状態である“電源ＯＮ状態”、電源がＯＦＦの状態で親機２１の各構成部品に対して電力が供給されていない“電源ＯＦＦ状態”、電源はＯＮの状態だが一部の構成部品に対してのみ電力を供給し、その他の構成部品に対しては電力を供給していない“スリープ状態”の３種類があるものとする。この場合の一部の構成部品とは、子機２２との接合状態を監視するための機能を実現するための構成部品、子機２２との直接通信を行うための機能を実現するための構成部品等である。
【００２６】
電源制御部８は、親機２１及び子機２２の電力供給を制御する。その制御内容は次の通りである。その１は、例えば、親機２１側の電力制御状態の切替えである。当該切替えは、子機２２側の電力制御状態の制御とは独立して行われる。その２は、親機２１に子機２２が接合された場合、親機２１の電力制御状態の切替えに連動して子機２２を電力制御状態を切り替えるための制御である。その３は、親機２１と子機２２とが分離された場合、親機２１の電力制御状態の切替えに連動して子機２２の電力制御状態を切り替えるための制御である。子機２２側の電源制御は、子機２２側の電源制御部１４と連係して行う。
【００２７】
接合検出部１０は、親機２１側と同様に、親機２１と子機２２との接合を検出する機能部である。この場合、親機２１と子機２２との非接合（即ち、分離）を検出してもよい。ここで、接合とは、親機２１と子機２２とを機械的に連結又は結合している状態であり、また、分離とは、親機２１と子機２２とが非結合状態又は分離状態で、個別に用いられる状態である。
【００２８】
状態検出部１２は、子機２２の電力制御状態を検出する機能部である。電力制御状態には、電源がＯＮの状態で文字入力等の機能が使用可能な状態である“電源ＯＮ状態”、電源がＯＦＦの状態で子機２２の各構成部品に対して電力が供給されていない“電源ＯＦＦ状態”、電源はＯＮの状態だが一部の構成部品に対してのみ電力を供給し、その他の構成部品に対しては電力を供給していない“スリープ状態”の３種類があるものとする。この場合の一部の構成部品とは、親機２１との接合状態を監視するための機能を実現するための構成部品、親機２１との直接通信を行うための機能を実現するための構成部品等である。
【００２９】
電源制御部１４は、子機２２及び親機２１の電力供給を制御する。その制御内容は次の通りである。その１は、例えば、子機２２側の電力制御状態の切替えである。当該切替えは、親機２１側の電力制御状態の制御とは独立して行われる。その２は、親機２１に子機２２が接合された場合、子機２２の電力制御状態の切替えに連動して親機２１の電力制御状態を切り替えるための制御である。その３は、親機２１と子機２２とが分離された場合、親機２１の電力制御状態の切替えに連動して子機２２の電力制御状態を切り替える制御である。親機２１の電源制御は、親機２１側の電源制御部８と連係して行う。
【００３０】
次に、電源制御の処理手順について、図２を参照する。図２は、電源制御の処理手順の一例を示すフローチャートである。
【００３１】
この処理手順は、本開示の電源制御方法又は電源制御プログラムの一例である。この処理手順には、図２に示すように、接合検出機能（ステップＳ１１）と、状態検出機能（ステップＳ１２）と、電源制御機能（ステップＳ１３）とが含まれる。
【００３２】
この処理手順では、図２に示すように、親機２１と子機２２とが接合状態であるかを検出し（ステップＳ１１）、接合状態か分離状態かを判断する。このステップＳ１１では、親機２１と子機２２とが接合状態にあるか、分離状態にあるかを電気的に検出し、その検出に基づき接合状態であるか分離状態であるかを判定すればよい。
【００３３】
親機２１と子機２２が接合状態であれば（ステップＳ１１のＹＥＳ）、親機２１又は子機２２が電源ＯＮ状態であるかを検出する（ステップＳ１２）。
【００３４】
接合検出及び通電状態の検出に基づき、電源制御（ステップＳ１３）が可能である。この電源制御には、次のような制御形態が含まれている。
【００３５】
(1) 親機２１が電源ＯＮ状態、子機２２がスリープ状態であれば、親機２１に子機２２を接合したことを契機に、子機２２を電源ＯＮ状態に制御する。
【００３６】
(2) 親機２１がスリープ状態、子機２２が電源ＯＮ状態であれば、親機２１に子機２２を接合したことを契機に、子機２２をスリープ状態に制御する。
【００３７】
(3) 親機２１と子機２２とが接合中に、親機２１及び子機２２が共にスリープ状態であれば、親機２１の電源ＯＮ状態への切替えにより子機２２を電源ＯＮ状態に制御する。又は、子機２２の電源ＯＮ状態への切替えにより親機２１を電源ＯＮ状態に制御する。
【００３８】
(4) 親機２１と子機２２とが接合中に、親機２１及び子機２２が共に電源ＯＮ状態であれば、親機２１のスリープ状態への切替えにより子機２２をスリープ状態に制御する。又は、子機２２のスリープ状態への切替えにより親機２１をスリープ状態に制御する。
【００３９】
(5) 親機２１と子機２２とが分離状態で、親機２１及び子機２２が共に電源ＯＮ状態であれば、親機２１のスリープ状態への切替えにより、無線接続を媒介にし、子機２２をスリープ状態に制御する。
【００４０】
斯かる電源制御によれば、親機２１が電源ＯＮ状態又はスリープ状態であれば、その親機２１に対する子機２２の接合を契機に、親機２１に応じて子機２２を電源ＯＮ状態又はスリープ状態に自動的に切り替えることができる。また、親機２１と子機２２とが接合中であれば、親機２１又は子機２２から電源ＯＮ状態又はスリープ状態に制御できる。また、親機２１と子機２２とが分離状態であれば、無線接続を媒介にし、親機２１側から子機２２を電源ＯＮ状態に制御できる。また、この場合、親機２１及び子機２２が電源ＯＮ状態であれば、子機２２側からスリープ状態に制御できる。これにより、電源切替えの利便性を高めることができる。
【００４１】
〔第２の実施の形態〕
【００４２】
第２の実施の形態は、分離状態にある親機と子機とが有線接続され、又は近距離通信機能により無線接続されるセパレート型携帯電話機である。このセパレート型携帯電話機は、親機に子機が接合された場合、親機の電力制御状態の切り替えに連動して前記子機を電源ＯＮ状態又はスリープ状態に制御する構成を含んでいる。また、このセパレート型携帯電話機は、親機と子機とが分離されている場合、親機側から電源ＯＮ状態の前記子機側をスリープ状態に制御する構成を含んでいる。
【００４３】
この第２の実施の形態について、図３、図４、図５、図６及び図７を参照する。図３は、接合状態にある親子機間の電源制御の状態遷移を示す図、図４、図５、図６及び図７は、分離状態にある親子機間の電源制御の状態遷移を示す図である。
【００４４】
(1) 接合状態にある場合
【００４５】
親機２０１と子機２０２とが接合状態であれば、状態[I] 又は状態[IV]となる。
【００４６】
状態[I] は親機２０１及び子機２０２が共にスリープ状態（以下「ＯＦＦ状態」と称する。）である。この状態[I] から、親機２０１の電源ボタン１６を長押しした場合、状態[I] →状態[II]→状態[IV]に遷移する。即ち、親機２０１の電源が電源ＯＮ状態（以下「ＯＮ状態」と称する。）となり、このＯＮ状態に連動し、子機２０２の電源がＯＮ状態となる。この場合、状態[II]から状態[IV]の遷移には、親機２０１側で子機２０２側のＯＮ・ＯＦＦ状態を監視し、電源ＯＮ制御を実行する。
【００４７】
また、状態[I] から、子機２０２の電源ボタン１８を長押しした場合、状態[I] →状態[III] →状態[IV]に遷移する。即ち、子機２０２の電源がＯＮ状態となり、このＯＮ状態に連動し、親機２０１の電源がＯＮ状態となる。この場合、状態[III] から状態[IV]の遷移には、子機２０２側で親機２０１側のＯＮ・ＯＦＦ状態を監視し、電源ＯＮ制御を実行する。
【００４８】
状態[IV]は親機２０１及び子機２０２が共にＯＮ状態である。この状態[IV]から、親機２０１の電源ボタン１６を長押しした場合、状態[IV]→状態[III] →状態[I] に遷移する。即ち、親機２０１の電源がＯＦＦ状態となり、このＯＦＦ状態に連動し、子機２０２の電源がＯＦＦ状態となる。この場合、親機２０１の電源ＯＦＦに子機２０２の電源ＯＦＦを連動させる場合には次の処理を行う。即ち、
ａ）親機２０１から子機２０２側に対して、子機２０２の電源ＯＦＦ指示（コマンド）を発行する。
ｂ）子機２０２側に電源制御状態に変化があれば、例えば、電源ＯＦＦとなれば、親機２０１を電源ＯＦＦに制御する。
【００４９】
また、この状態[IV]から、子機２０２の電源ボタン１８を長押しした場合、状態[IV]→状態[II]→状態[I] に遷移する。即ち、子機２０２の電源がＯＦＦ状態となり、このＯＦＦ状態に連動し、親機２０１電源がＯＦＦ状態となる。この場合、子機２０２の電源ＯＦＦに親機２０１の電源ＯＦＦを連動させる場合には、次の処理を行う。即ち、
ａ）子機２０２から親機２０１側に対して、親機２０１の電源ＯＦＦ指示（コマンド）を発行する。
ｂ）親機２０１側に電源の変化があれば、例えば、電源ＯＦＦとなれば、子機２０２を電源ＯＦＦに制御する。
【００５０】
(2) 分離状態から接合状態に移行した場合
【００５１】
親機２０１と子機２０２が分離状態から接合状態に変化した場合には、親機２０１の電源のＯＮ／ＯＦＦ状態に連動して子機２０２の電源をＯＮ／ＯＦＦ制御する。
【００５２】
ａ）ＯＮ状態にある親機２０１に、ＯＦＦ状態の子機２０２を接合した場合には、親機２０１の電源制御状態に連動して子機２０２の電源をＯＮに制御する。この場合、状態[II]→状態[IV]の制御を行う。
【００５３】
ｂ）ＯＦＦ状態にある親機２０１に、ＯＮ状態の子機２０２を接合した場合には、親機２０１の電源制御状態に連動して子機２０２の電源をＯＦＦに制御する。この場合、状態[III] →状態[I] への制御を行う。
【００５４】
(3) 分離状態にある場合
【００５５】
親機２０１と子機２０２とが分離状態にある場合には、無線接続が介在し、電源ＯＮ操作は、個々の電源ボタン１６又は１８の操作によりＯＮ状態に制御する。
【００５６】
図４の（Ａ）に示すように、親機２０１と子機２０２とが分離状態で、共にＯＦＦ状態であれば、親機２０１の電源ボタン１６の長押しにより、図４の（Ｂ）に示すように、親機２０１の電源がＯＮ状態となる。この場合、子機２０２側の電源制御状態は変化しない。
【００５７】
図５の（Ａ）に示すように、親機２０１と子機２０２とが分離状態で、共にＯＦＦ状態であれば、子機２０２の電源ボタン１８の長押しにより、図５の（Ｂ）に示すように、子機２０２の電源がＯＮ状態となる。この場合、親機２０１側の電源制御状態は変化しない。
【００５８】
図６の（Ａ）に示すように、親機２０１と子機２０２とが分離状態で、共にＯＮ状態であれば、親機２０１と子機２０２とは無線接続の状態である。この場合、親機２０１の電源ボタン１６の長押しにより、図６の（Ｂ）に示すように、親機２０１の電源がＯＦＦ状態となる。この場合、親機２０１から子機２０２に対し、無線接続により、電源ＯＦＦ指示が発せられる。このＯＦＦ指示を受け、子機２０２の電源がＯＦＦ状態に制御される。
【００５９】
図７の（Ａ）に示すように、親機２０１と子機２０２とが分離状態で、共にＯＮ状態であれば、子機２０２の電源ボタン１８の長押しにより、図７の（Ｂ）に示すように、子機２０２の電源がＯＦＦ状態となる。この場合、親機２０１側の電源制御状態は変化しない。
【００６０】
斯かる構成によれば、次のような効果が得られる。
【００６１】
(1) 電源ＯＮ状態又はスリープ状態にある親機２０１にスリープ状態にある子機２０２を接合することにより、子機２０２の電源制御状態を親機２０１に応じて切り替えることができ、電源操作が簡略化される。
【００６２】
(2) 親機２０１の機能を実現するため、ユーザが親機２０１を電源ＯＮ状態に切り替え、その親機２０１に子機２０２を接合すれば、子機２０２の電源切替え操作を要することなく、親機２０１を電源ＯＮ状態に制御して親機２０１の機能を立ち上げることができ、迅速な操作を行うことができ、利便性が高められる。
【００６３】
(3) 親機２０１がスリープ状態となれば、子機２０２が電源ＯＮ状態にあっても、接合により子機２０２側の電源切替え操作を要することなく、子機２０２側をスリープ状態に移行させることができ、省電力化を図ることができる。子機２０２側のバッテリの消耗を抑制できる。
【００６４】
(4) 子機２０２と分離された親機２０１から子機２０２を電源ＯＮ状態からスリープ状態に制御できるので、ユーザによる子機２０２側の電源切替え操作が不要であり、省電力化を図ることができ、子機２０２側のバッテリの消耗を抑制できる。
【００６５】
次に、このセパレート型携帯電話機の機能について、図８及び図９を参照する。図８は、セパレート型携帯電話機の親機側の機能部の一例を示す図、図９は、その子機側の機能部の一例を示す図である。
【００６６】
このセパレート型携帯電話機２０は、親機２０１でセパレート型携帯電話機２０の主として外部通信機能、表示機能等を実行し、子機２０２でセパレート型携帯電話機２０の主として親機２０１との通信機能、通話機能等を実行する。
【００６７】
そこで、親機２０１は、図８に示すように、外部通信制御部３０と、接合・分離確認部３２と、表示制御部３４と、記憶制御部３６と、電源制御部３８と、操作検知部４０と、親子通信制御部４２と、Bluetooth 通信制御部４４と、有線通信制御部４６と、その他の機能として通話制御部等を備えている。これらの機能は親機２０１に搭載されているコンピュータ（プロセッサ７０：図１０）によって生成され実行される。
【００６８】
外部通信制御部３０は、外部の通信ネットワーク４８と無線により接続し、通話やデータ通信の制御を行う。通信ネットワーク４８には親機２０１が無線により基地局やサーバが接続されている。
【００６９】
接合・分離確認部３２は、親機２０１が子機２０２に接合又は分離されているかを確認する機能部であって、既述の接合検出部４に対応する。親機２０１に子機２０２が接合されているか又は分離されているかの判断は、親機２０１と子機２０２との電気的な結合状態の有無によって行えばよい。
【００７０】
表示制御部３４は、情報表示を制御する機能部の一例であって、表示部７６（図１０）の表示制御の機能を含む。
【００７１】
記憶制御部３６はデータ保持や保存を制御する機能であって、記憶手段に対するデータの書き込み又は読出しを制御する機能部である。この記憶機能部３６には、親機２０１のソフトウェアや、電源制御情報、通信制御情報、通信情報（接続設定情報）、ユーザ操作情報等の格納や書換え等の制御が含まれる。
【００７２】
電源制御部３８は、電源ボタン１６の操作による電源スイッチ部８７（図１０）のＯＮ・ＯＦＦを認識し、親機２０１側の機能部に対する電源の通電を制御する機能部である。電源の制御形態は、既述のとおり、親子機が接合状態であれば、親機２０１と子機２０２とを連動してＯＮ状態又はＯＦＦ状態に制御する。また、親子機が分離状態であれば、親機２０１側からＯＮ状態にある子機２０２側の電源をＯＦＦ状態に制御する。子機２０２側の電源制御に対するコマンドとして、電源ＯＮ指示又は電源ＯＦＦ指示を生成する。
【００７３】
操作検知部４０は、入力操作や電源ボタン１６の操作を検知し、電源ボタン１６のＯＮ又はＯＦＦが所定時間例えば、３〔秒〕以上継続した場合にそのＯＮ又はＯＦＦを認識し、その検知出力を生成する。
【００７４】
親子通信制御部４２は、親機２０１側で親子機間の通信形態を制御する制御機能部であって、親子機間が接合状態であれば有線接続とし、親子機間が分離状態であれば無線接続とする。この親子通信制御部４２は既述の電源ＯＮ指示や電源ＯＦＦ指示の送受を行う。
【００７５】
Bluetooth 通信制御部４４は、近距離無線通信制御部の一例であって、子機２０２との無線通信を行い、電波等の無線媒体で接続する機能部であり、この場合、Bluetooth 通信を用いればよい。また、有線通信制御部４６は、親子機間の接合によって有線接続し、例えば、シリアル通信を行う。Bluetooth 通信制御部４４及び有線通信制御部４６は既述の電源ＯＮ指示や電源ＯＦＦ指示の送受を行う。
【００７６】
また、子機２０２は、図９に示すように、電源制御部５０と、接合・分離確認部５２と、記憶制御部５４と、操作検知部５５、親子通信制御部５６、Bluetooth 通信制御部５８と、有線通信制御部６０とを備え、その他通話制御部を備えている。これらの機能は子機２０２に搭載されているコンピュータ（プロセッサ１００：図１０）によって生成され実行される。
【００７７】
電源制御部５０は、電源スイッチ部１１５（図１０）のオン、オフを認識し、子機２０２側の機能部に対する電源の通電を制御する機能部である。子機２０２が親機２０１に接合されている場合には親機２０１側の通電制御を含んでもよい。
【００７８】
接合・分離確認部５２は、子機２０２が親機２０１に接合又は分離されているかを確認する機能部であって、既述の接合検出部１０に対応する。親機２０１に子機２０２が接合されているか又は分離されているかの判断は、既述のように、親機２０１と子機２０２との電気的な結合状態の有無によって行えばよい。
【００７９】
記憶制御部５４はデータ保持手段の一例であって、親機２０１から提供されたソフトウェアやその版数データを記憶させる制御機能部である。
【００８０】
操作検知部５５は、入力操作や電源ボタン１８の操作を検知し、電源ボタン１８のＯＮ又はＯＦＦが所定時間例えば、３〔秒〕以上継続した場合にそのＯＮ又はＯＦＦを認識し、その検知出力を生成する。
【００８１】
親子通信制御部５６は、子機２０２側で親子機間の通信形態を制御する制御機能部であって、親子機間が接合状態であれば有線接続とし、親子機間が分離状態であれば無線接続とする。この親子通信制御部５６は既述の電源ＯＮ指示や電源ＯＦＦ指示の送受を行う。
【００８２】
Bluetooth 通信制御部５８は、近距離無線通信制御部の一例であって、親機２０１とのBluetooth 通信を制御する機能部である。また、有線通信制御部６０は、既述のように、親子機間の接合によって接続する。
【００８３】
次に、セパレート型携帯電話機２０のハードウェアについて、図１０を参照する。図１０は、セパレート型携帯電話機のハードウェアの一例を示す図である。
【００８４】
このセパレート型携帯電話機２０は親機２０１と子機２０２とを着脱可能に備え、既述の各機能を実現するためのハードウェア構成を備えている。そこで、親機２０１は、図１０に示すように、プロセッサ７０と、無線通信部７２と、記憶部７４と、表示部７６と、タッチパネル部７８と、音声入出力部８０と、電源部８１と、Bluetooth 通信部８２と、有線通信部８４と、接合・分離検出部８６と、電源スイッチ部８７、タイマー部８９とを備える。
【００８５】
プロセッサ７０は、記憶部７４にあるプログラムを実行することにより、既述の機能部（図８）を生成させ、各機能を実行する。このプロセッサ７０は例えば、ＣＰＵ（Central Processing Unit ）で構成すればよい。
【００８６】
無線通信部７２は、アンテナ８８を備え、プロセッサ７０の制御により基地局を介して既述の通信ネットワーク４８と無線通信により、通話やデータ通信を行う。この無線通信部７２は例えば、広域符号分割多元接続〔Ｗ−ＣＤＭＡ（Wideband Code Division Multiple Access）〕無線通信部で構成される。
【００８７】
記憶部７４は、プロセッサ７０の制御により、プログラム等の各種のデータを記憶し、保持する記憶手段であって、プログラム記憶部９０と、データ記憶部９２と、ＲＡＭ（Random-Access Memory）９４とを備える。プログラム記憶部９０は、記録媒体で構成され、ＯＳ（Operating System）、ファームウェアプログラム、アプリケーションプログラム、電源制御プログラム、通信制御プログラム等を格納する。データ記憶部９２は、データの記憶手段であって、通電を解除しても記憶内容を保持できるメモリである不揮発性メモリで構成される。このデータ記憶部９２には、親機２０１及び子機２０２側のソフトウェア等が保存される。ＲＡＭ９４は、親機２０１や子機２０２の通信制御等の各種データ処理を実行するためのワークエリアを構成する。
【００８８】
表示部７６は、プロセッサ７０の制御により、メッセージ出力部、情報提示手段の一例であって、例えば、ＬＣＤ（Liquid Crystal Display）表示器で構成される。この表示部７６は、プロセッサ７０の制御により、子機２０２との接続を促すメッセージ表示等の各種の表示をする。
【００８９】
タッチパネル部７８は、表示部７６に積層されて設置された入力手段の一例であって、プロセッサ７０の制御により、表示部７６の表示に応じてユーザの指やスタイラスペン（Stylus）の接触や押圧により、指示やデータ入力を行うことができる。
【００９０】
音声入出力部８０は、音声の入力手段や出力手段の一例であって、マイクロフォン９６及びレシーバ９８を備える。この音声入出力部８０は、プロセッサ７０の制御により、マイクロフォン９６に入力された音声を電気信号に変換してプロセッサ７０に入力し、プロセッサ７０の音声出力信号をレシーバ９８で音声に再生する。
【００９１】
電源部８１は、バッテリ等から給電され、親機２０１の機能部等の各部に電源を供給する手段である。
【００９２】
Bluetooth 通信部８２は、プロセッサ７０の制御により、子機２０２との間で無線により接続する無線接続手段であって、例えば、Bluetooth 通信により通信接続を行う。このBluetooth 通信部８２は、親機２０１から子機２０２が分離されている場合、無線接続を行う。
【００９３】
有線通信部８４は、プロセッサ７０の制御により、子機２０２を接合した際に有線接続する有線接続手段の一例であって、例えば、ＵＡＲＴ（Universal Asynchronous Receiver Transmitter ）接続により有線接続を行う。
【００９４】
接合・分離検出部８６は、親機２０１側にあって、親機２０１に子機２０２が接合されているか、親機２０１から子機２０２が分離されているかを検出する手段の一例であり、例えば、接合・分離検出デバイスで構成される。この接合又は分離は、例えば、端子間接合の有無を電位によって検出すればよい。この場合、接合・分離検出部８６に親機２０１と子機２０２との分離状態が検出された場合、Bluetooth 通信部８２の無線接続の契機となる。また、接合・分離検出部８６に親機２０１と子機２０２との接合状態が検出された場合、有線通信部８４の有線接続の契機となる。この接合・分離検出部８６には例えば、汎用入出力ポート（ＧＰＩＯ：General Purpose Input Output）で構成すればよく、子機２０２が通電状態であれば、接合及びその電源制御状態を表す出力信号（パルスＨ）を出力させ、これを検出すればよい。
【００９５】
電源スイッチ部８７は電源ボタン１６を備え、電源部８１のＯＮ・ＯＦＦ手段である。また、接合状態、又は既述のように分離状態における親機２０１側のＯＦＦ制御に伴った子機２０２側の電源部１０９のＯＮ・ＯＦＦ手段である。
【００９６】
タイマー部８９は、計時手段の一例であって、プロセッサ７０の制御により、例えば、既述の電源ボタン１６の長押し時間の計時等に用いられる。
【００９７】
次に、子機２０２は、プロセッサ１００と、記憶部１０２と、キーパッド部１０４、１０６と、音声入出力部１０８と、電源部１０９と、Bluetooth 通信部１１０と、有線通信部１１２と、接合・分離検出部１１４と、電源スイッチ部１１５とを備える。
【００９８】
プロセッサ１００は記憶部１０２にあるプログラムを実行することにより、既述の機能部（図９）を生成させ、各機能を実行する。このプロセッサ１００は親機２０１側と同様に例えば、ＣＰＵで構成すればよい。
【００９９】
記憶部１０２は、プロセッサ１００の制御により、プログラム等の各種のデータを記憶し、保持する記憶手段であって、プログラム記憶部１１６と、データ記憶部１１８と、ＲＡＭ１２０とを備える。プログラム記憶部１１６は、記録媒体で構成され、ＯＳ、ファームウェアプログラム、アプリケーションプログラム、電源制御プログラム、通信制御プログラム等を格納する。データ記憶部１１８は、データの記憶手段であって、通電を解除しても記憶内容を保持できるメモリである不揮発性メモリで構成される。このデータ記憶部１１８には、子機２０２側のソフトウェアの版数データ等が格納される。ＲＡＭ１２０は、子機２０２側の通信制御等の各種データ処理を実行するためのワークエリアを構成する。
【０１００】
キーパッド部１０４は、第１のキー入力部であって、子機２０２の本体側に設置され、記号キー、カーソルキー、決定キー等が備えられている。また、キーパッド部１０６は、第２のキー入力部であって、親機２０１から子機２０２が分離した際に、子機２０２側にあるスライド筐体部１３２（図１３〜図１９）に設置され、キーパッド部１０４に積層されてキー入力に用いられる。
【０１０１】
音声入出力部１０８は、音声の入力手段や出力手段の一例であって、マイクロフォン１２２及びレシーバ１２４を備える。子機２０２が親機２０１から分離された際、この音声入出力部１０８は、プロセッサ１００の制御により、マイクロフォン１２２に入力された音声を電気信号に変換してプロセッサ１００に入力し、プロセッサ１００の音声出力信号をレシーバ１２４で音声に再生する。
【０１０２】
電源部１０９は、バッテリ等から給電され、子機２０２の機能部の各部に電源を供給する手段である。
【０１０３】
Bluetooth 通信制御部１１０は、プロセッサ１００の制御により、親機２０１のBluetooth 通信部８２との間で無線により接続する無線接続手段であって、例えば、Bluetooth 通信により通信接続を行う。このBluetooth 通信部１１０は、子機２０２が親機２０１から分離されている場合、無線接続を行う。
【０１０４】
有線通信部１１２は、プロセッサ１００の制御により、親機２０１に接合した際に有線接続する有線接続手段であって、既述のＵＡＲＴ接続により有線接続を行う。この有線通信部１１２は、親機２０１の端子間を接合した場合、既述の有線接続を行う。
【０１０５】
接合・分離検出部１１４は、子機２０２側にあって、子機２０２が親機２０１に接合されているか、子機２０２が親機２０１から分離されているかを検出する手段の一例であり、既述の通り、例えば、接合・分離検出デバイスで構成される。この接合又は分離は、例えば、端子間接合の有無を電位によって検出すればよい。親機２０１側と同様に、接合・分離検出部１１４に親機２０１と子機２０２との分離状態が検出された場合、Bluetooth 通信部１１０の無線接続の契機となる。また、接合・分離検出部１１４に親機２０１と子機２０２との接合状態が検出された場合、有線通信部１１２の有線接続の契機となる。この接合・分離検出部１１４には既述の例えば、汎用入出力ポート（ＧＰＩＯ）で構成すればよく、親機２０１が通電状態であれば、接合及びその電源制御状態を表す出力信号（パルスＨ）を出力させ、これを検出すればよい。
【０１０６】
電源スイッチ部１１５は、電源ボタン１８を備え、電源部１０９のＯＮ・ＯＦＦ指示手段、また、接合状態における親機２０１側の電源部８１のＯＮ・ＯＦＦ指示手段の一例である。
【０１０７】
次に、電源部について、図１１を参照する。図１１は電源部の一例を示す図である。
【０１０８】
この電源部８１は、親機２０１の給電装置の一例であって、図１１に示すように、スイッチ制御部１２５と、スイッチ回路１２６と、バッテリ１２７とを備える。スイッチ制御部１２５は、バッテリ１２７から常時給電され、電源制御部３８を構成するプロセッサ７０によって制御される。スイッチ回路１２６は、スイッチ制御部１２５によって制御され、電源のＯＮ・ＯＦＦ制御以外の制御を行う機能部に対する給電を制御する。従って、電源のＯＦＦ状態においても電源制御は可能である。
【０１０９】
子機２０２側の電源部１０９については、電源部８１の構成と同様に構成すればよく、その説明は省略する。
【０１１０】
次に、セパレート型携帯電話機について、図１２、図１３、図１４、図１５、図１６、図１７、図１８及び図１９を参照する。図１２は、セパレート型携帯電話機の一例を示す図、図１３は、子機側をスライドさせたセパレート型携帯電話機を示す図、図１４は、子機側をスライドさせて裏面側から見たセパレート型携帯電話機を示す図、図１５は、子機側をスライドさせて側面側から見たセパレート型携帯電話機を示す図、図１６は、分離状態の親機及び子機を示す図、図１７は、分離状態の親機を裏面側から見て示した図、図１８は、子機側のスライド筐体部をスライドさせて上面側から見た子機を示す図、図１９は、子機側のスライド筐体部をスライドさせて側面側から見た子機を示す図である。
【０１１１】
セパレート型携帯電話機２０は、図１２に示すように、固定筐体部１３０と、スライド筐体部１３２と、可動筐体部１３４とが備えられている。この場合、固定筐体部１３０及びスライド筐体部１３２は子機２０２に用いられ、可動筐体部１３４は親機２０１に用いられている。
【０１１２】
固定筐体部１３０には、図１３〜図１６に示すように、スライド筐体部１３２がスライド機構によって固定筐体部１３０の長手方向にスライド可能に設置されている。スライド筐体部１３２には、可動筐体部１３４が着脱機構によって着脱される。従って、親機２０１がスライド筐体部１３２に設置された場合、スライド筐体部１３２によって固定筐体部１３０の長手方向にスライド可能である。図１３、図１４及び図１５は、可動筐体部１３４がスライド筐体部１３２とともにスライドし、固定筐体部１３０から突出した状態である。この場合、可動筐体部１３４の背面側にはカメラ部１３５が設置され、このカメラ部１３５がスライド筐体部１３２にある窓部１３６から露出している。
【０１１３】
また、スライド筐体部１３２を固定筐体部１３０に一致させた際に、図１６及び図１７に示すように、固定筐体部１３０から可動筐体部１３４を接合又は分離させることができる。図１７は可動筐体部１３４の背面側を示している。そして、可動筐体部１３４（親機２０１）を固定筐体部１３０から分離させると、固定筐体部１３０の上面はスライド筐体部１３２によって覆われ、また、図１８及び図１９に示すように、固定筐体部１３０からスライド筐体部１３２を長手方向にスライドさせてずらすことができる。
【０１１４】
斯かる構成により、セパレート型携帯電話機２０には、着脱かつスライド可能な親機２０１と、子機２０２とが備えられ、親機２０１と子機２０２とが接合された場合、上面側に親機２０１、その下面側に子機２０２が配置される。可動筐体部１３４には表示部７６及びタッチパネル部７８が設置されているとともに、マイクロフォン９６及びレシーバ９８が設置され、側面部には電源スイッチ部８７が配置されている。
【０１１５】
固定筐体部１３０には、子機２０２側のキーパッド部１０４が設置されるとともに、マイクロフォン１２２及びレシーバ１２４が配置されている。また、スライド筐体部１３２には、キーパッド部１０６が配置されている。
【０１１６】
接合状態において、図１３に示すように、可動筐体部１３４は、スライド筐体部１３２と協動してスライドし、可動筐体部１３４即ち、親機２０１をスライドさせた場合、子機２０２のキーパッド部１０４が露出し、キー入力操作が可能である。キーパッド部１０４には記号キー１３８、カーソルキー１４０、決定キー１４２、電源スイッチ部１１５の電源ボタン１８、マイクロフォン１２２等が設置されている。
【０１１７】
可動筐体部１３４を固定筐体部１３０から分離すると、図１６に示すように、固定筐体部１３０上にスライド筐体部１３２のキーパッド部１０６、レシーバ１２４が露出する。このキーパッド部１０６からキー入力操作を行うことができるとともに、Bluetooth 通信により親機２０１を介在させた子機２０２側での通話が可能である。
【０１１８】
そして、固定筐体部１３０には図１６に示すように、有線通信部１１２の接続端子部１４４Ａ、１４４Ｂが設置され、また、可動筐体部１３４には図１７に示すように、有線通信部８４の接続端子部１４６Ａ、１４６Ｂが設置されている。親機２０１と子機２０２とが接合状態にある場合、これら接続端子部１４４Ａ−１４６Ａ、１４４Ｂ−１４６Ｂを介して電気的に接続されるので、この接合状態は接合・分離検出部８６、１１４によって検出される。接続端子部１４４Ａ−１４６Ａ、１４４Ｂ−１４６Ｂは、複数のピンＰＧ１、ＰＧ２、ＰＧ３・・・ＰＧ８で構成されている。
【０１１９】
次に、親子機間接点のピンアサインについて、図２０を参照する。図２０は、親子機間接点のピンアサインテーブルの一例を示す図である。
【０１２０】
このピンアサインテーブル１５０には、ピン番号欄１５２、親機側機能欄１５４及び子機側機能欄１５６が設定され、データ記憶部９２、１１８に格納されている。
【０１２１】
この場合、ピン番号欄１５２には、接続端子部１４４Ａ、１４４Ｂ、１４６Ａ、１４６Ｂを構成されるピンに対応し、ピン番号としてＰＧ１、ＰＧ２、ＰＧ３・・・ＰＧ８の８ピン構成の番号が格納されている。この場合、ピンＰＧ１は、親機２０１及び子機２０２とも接地（ＧＮＤ）に割り当てられている。
【０１２２】
ピンＰＧ２は、親子機間有線通信に割り当てられ、親機２０１側には送信側を表すＵＡＲＴ−ＴＸ、子機２０２側には受信側を表すＵＡＲＴ−ＲＸが設定されている。ピンＰＧ３は、親子機間有線通信に割り当てられ、親機２０１側には受信側を表すＵＡＲＴ−ＲＸ、子機２０２側には送信側を表すＵＡＲＴ−ＴＸが設定されている。
【０１２３】
ピンＰＧ４、ＰＧ５はともに接合検出に割り当てられ、ピンＰＧ４は、親機２０１側には接合検出、子機２０２側には接地（ＧＮＤ）が割り当てられ、また、ピンＰＧ５は、親機２０１側には接地（ＧＮＤ）、子機２０２側には接合検出が割り当てられている。
【０１２４】
ピンＰＧ６、ＰＧ７は割り当てなしであり、ＰＧ８は親機２０１及び子機２０２のそれぞれに電源が割り当てられている。
【０１２５】
次に、接合状態での親子機間の電源制御について、図２１を参照する。図２１は、電源制御の処理手順を示すフローチャートである。
【０１２６】
この処理手順は、通信端末装置の電源制御方法又は電源制御プログラムの一例であって、親機２０１と子機２０２とが接合状態にある場合、親機２０１側からの電源操作による処理手順である。
【０１２７】
そこで、この処理手順では、図２１に示すように、電源ボタン１６が所定時間例えば、３〔秒〕以上押下されたかを操作検知部４０で検知する（ステップＳ１０１）。３〔秒〕以上継続して電源ボタンが押下されると（ステップＳ１０１のＹＥＳ）、ブート処理に移行する（ステップＳ１０２）。この場合、ブート処理は、親機２０１側の起動処理である。
【０１２８】
この起動処理中に親機２０１側の接合・分離検出部８６に子機２０２からの出力信号が加えられたかを監視する（ステップＳ１０３）。
【０１２９】
親機２０１側で子機２０２からの出力信号が検出されなければ（ステップＳ１０３のＮＯ）、子機２０２側のブート処理を行い（ステップＳ１０４）、このブート処理の後、親機２０１及び子機２０２がともに待受け状態に移行する（ステップＳ１０５）。
【０１３０】
また、親機２０１側で子機２０２からの信号が検出されれば（ステップＳ１０３のＹＥＳ）、子機２０２のブート処理は完了しているので、親機２０１及び子機２０２がともに待受け状態に移行する（ステップＳ１０５）。
【０１３１】
次に、接合状態での親子機間の電源制御について、図２２を参照する。図２２は、電源制御の処理手順を示すフローチャートである。
【０１３２】
この処理手順は、通信端末装置の電源制御方法又は電源制御プログラムの一例であって、親機２０１と子機２０２とが接合状態にある場合、子機２０２側からの電源操作による処理手順である。
【０１３３】
そこで、この処理手順では、図２２に示すように、電源ボタン１８が所定時間例えば、３〔秒〕以上押下されたかを操作検知部５５で検知する（ステップＳ２０１）。３〔秒〕以上継続して電源ボタンが押下されると（ステップＳ２０１のＹＥＳ）、ブート処理に移行する（ステップＳ２０２）。この場合、ブート処理は、子機２０２側の起動処理である。
【０１３４】
この起動処理中に子機２０２側の接合・分離検出部１１４に親機２０１からの信号が加えられたかを監視する（ステップＳ２０３）。
【０１３５】
子機２０２側で親機２０１からの出力信号が検出されなければ（ステップＳ２０３のＮＯ）、親機２０１側のブート処理を行い（ステップＳ２０４）、このブート処理の後、親機２０１及び子機２０２がともに待受け状態に移行する（ステップＳ２０５）。
【０１３６】
また、子機２０２側で親機２０１からの信号が検出されれば（ステップＳ２０３のＹＥＳ）、親機２０１のブート処理は完了しているので、親機２０１及び子機２０２がともに待受け状態に移行する（ステップＳ２０５）。
【０１３７】
次に、接合による電源制御について、図２３を参照する。図２３は、電源制御の処理手順を示すフローチャートである。
【０１３８】
この処理手順は、通信端末装置の電源制御方法又は電源制御プログラムの一例であって、親子機の接合による電源制御の処理手順である。
【０１３９】
そこで、この処理手順では、図２３に示すように、親機２０１の電源がＯＮ（電源ＯＮ状態）、子機２０２の電源がＯＦＦ（スリープ状態）の状態を検出し（ステップＳ３０１）、この状態で親機２０１と子機２０２との接合検出を行う（ステップＳ３０２）。この接合検出は、親機２０１の接合・分離確認部３２、子機２０２の接合・分離確認部５２のいずれか一方、又は両者が行ってもよい。
【０１４０】
親機２０１と子機２０２とが接合されると（ステップＳ３０２のＹＥＳ）、子機２０２側の状態が電源ＯＮ状態かを判定する（ステップＳ３０３）。この判定は、親機２０１の電源制御部３８、子機２０２の電源制御部５０のいずれか一方、又は両者が行ってもよい。
【０１４１】
子機２０２の電源がＯＮ状態でなければ（ステップＳ３０３のＮＯ）、子機２０２側のブート処理を行い（ステップＳ３０４）、親機２０１及び子機２０２がともに電源ＯＮ状態に移行し（ステップＳ３０５）、待受け状態となる。
【０１４２】
また、子機２０２の電源がＯＮ状態であれば（ステップＳ３０３のＹＥＳ）、親機２０１のブート処理は完了しているので、親機２０１及び子機２０２がともに電源ＯＮ状態となり（ステップＳ３０５）、待受け状態に移行する。なお、以上の説明では、親機２０１の電源の状態に子機２０２の電源の状態を合わせる例を説明したが、逆に子機２０２の電源の状態に親機２０１の電源の状態を合わせることも考えられる。その場合には、ステップＳ３０４において、親機２０１のシャットダウン処理が行われ、親機２０１、子機２０２がともに電源ＯＦＦの状態となる。
【０１４３】
次に、接合による電源制御について、図２４を参照する。図２４は、電源制御の処理手順を示すフローチャートである。
【０１４４】
この処理手順は、通信端末装置の電源制御方法又は電源制御プログラムの一例であって、親子機の接合による電源制御の処理手順である。
【０１４５】
そこで、この処理手順では、図２４に示すように、親機２０１の電源がＯＦＦ、子機２０２の電源がＯＮの状態を検出し（ステップＳ４０１）、この状態で親機２０１と子機２０２との接合検出を行う（ステップＳ４０２）。この接合検出は、親機２０１の接合・分離確認部３２、子機２０２の接合・分離確認部５２のいずれか一方、又は両者が行ってもよい。
【０１４６】
親機２０１と子機２０２とが接合されると（ステップＳ４０２のＹＥＳ）、子機２０２側の状態は電源ＯＦＦ状態かを判定する（ステップＳ４０３）。この判定は、親機２０１の電源制御部３８、子機２０２の電源制御部５０のいずれか一方、又は両者が行ってもよい。
【０１４７】
子機２０２の電源がＯＦＦ状態でなければ（ステップＳ４０３のＮＯ）、子機２０２側のシャットダウン処理を行い（ステップＳ４０４）、親機２０１及び子機２０２がともに電源ＯＦＦ状態に移行し（ステップＳ４０５）、待受け状態となる。
【０１４８】
また、子機２０２の電源がＯＦＦ状態であれば（ステップＳ４０３のＹＥＳ）、子機２０２のシャットダウン処理は完了しているので、親機２０１及び子機２０２がともに電源ＯＦＦ状態となり（ステップＳ４０５）、待受け状態に移行する。なお、以上の説明では、親機２０１の電源の状態に子機２０２の電源の状態を合わせる例を説明したが、逆に子機２０２の電源の状態に親機２０１の電源の状態を合わせることも考えられる。その場合には、ステップＳ４０４において、親機２０１のブート処理が行われ、親機２０１、子機２０２がともに電源ＯＮの状態となる。
【０１４９】
次に、接合状態で親機２０１側からの電源制御について、図２５を参照する。図２５は、親子機間の電源ＯＮ・ＯＦＦシーケンスを示す図である。
【０１５０】
このシーケンスは、通信端末装置の電源制御方法又は電源制御プログラムの一例であって、接合状態にある親機２０１側の電源制御から子機２０２の電源制御を実行するシーケンスである。
【０１５１】
この処理手順は、親機２０１と子機２０２とが接合状態であり、この接合状態は有線通信部８４、１１２が連係状態にあって、親機２０１側の電源のＯＮ・ＯＦＦに連動して子機２０２側の電源をＯＮ・ＯＦＦする制御である。
【０１５２】
そこで、この処理手順では、親機２０１側では電源ボタン１６のＯＮ・ＯＦＦが監視され（ステップＳ５０１）、電源ボタン１６をＯＮにすると、電源部８１がＯＮ状態となる（ステップＳ５０２）。このＯＮ状態により、電源制御部３８から子機ＯＮ指示が生成され（ステップＳ５０３）、この子機ＯＮ指示が親子通信制御部４２に通知される（ステップＳ５０４）。この通知を受け、親子通信制御部４２から子機ＯＮ指示が子機２０２の電源制御部５０に通知され（ステップＳ５０５）、電源制御部５０は子機２０２の電源部１０９をＯＮにする（ステップＳ５０６）。
【０１５３】
また、親機２０１側の電源ボタン１６をＯＦＦにすると（ステップＳ５０７）、電源制御部３８から子機ＯＦＦ指示が生成される（ステップＳ５０８）。この子機ＯＦＦ指示は、親子通信制御部４２に通知され（ステップＳ５０９）、親子通信制御部４２から有線通信部８４に通知される（ステップＳ５１０）。この子機ＯＦＦ指示は、有線通信部８４から子機２０２側の有線通信部１１２に通知され（ステップＳ５１１）、有線通信部１１２から親子通信制御部５６に通知される（ステップＳ５１２）。更に、子機ＯＦＦ指示は、親子通信制御部５６から電源制御部５０に通知され（ステップＳ５１３）、電源制御部５０は、子機２０２の電源部１０９をＯＦＦにする（ステップＳ５１４）。
【０１５４】
そして、親機２０１では、子機２０２に対する子機ＯＦＦ指示の生成の後、親機電源をＯＦＦにする（ステップＳ５１５）。
【０１５５】
次に、接合状態で子機２０２側からの電源制御について、図２６を参照する。図２６は、親子機間の電源ＯＮ・ＯＦＦシーケンスを示す図である。
【０１５６】
このシーケンスは、通信端末装置の電源制御方法又は電源制御プログラムの一例であって、接合状態にある親機２０１側の電源制御から子機２０２の電源制御、子機２０２側から親機２０１への電源制御を実行するシーケンスである。
【０１５７】
そこで、この処理手順は、親機２０１と子機２０２とが接合状態であって、親機２０１側から子機２０２の電源をＯＮにした後、子機２０２側から親機２０１側の電源をＯＦＦにする制御を含んでいる。
【０１５８】
親機２０１側では電源ボタン１６のＯＮ・ＯＦＦが監視され（ステップＳ６０１）、電源ボタン１６をＯＮにすると、電源部８１がＯＮ状態となる（ステップＳ６０２）。このＯＮ状態への移行により、電源制御部３８から子機ＯＮ指示が生成され（ステップＳ６０３）、この子機ＯＮ指示が親子通信制御部４２に通知される（ステップＳ６０４）。この通知を受け、親子通信制御部４２から子機ＯＮ指示が子機２０２の電源制御部５０に通知され（ステップＳ６０５）、電源制御部５０は子機２０２の電源部１０９をＯＮにする（ステップＳ６０６）。
【０１５９】
そこで、子機２０２側の電源ボタン１８をＯＦＦにすると（ステップＳ６０７）、このＯＦＦにより、電源制御部５０から親機ＯＦＦ指示が生成され（ステップＳ６０８）、この親機ＯＦＦ指示は、親子通信制御部５６に通知され（ステップＳ６０９）、親子通信制御部５６から子機２０２の有線通信部１１２に通知される（ステップＳ６１０）。この親機ＯＦＦ指示は、有線通信部１１２から有線通信部８４に通知され（ステップＳ６１１）、この有線通信部８４から親子通信制御部４２に通知される（ステップＳ６１２）。更に、この親機ＯＦＦ指示は、親子通信制御部４２から電源制御部３８に通知され（ステップＳ６１３）、電源制御部３８は、親機２０２の電源部８１をＯＦＦにする（ステップＳ６１４）。子機２０２側の電源制御部５０は、親機ＯＦＦ指示の生成、通知の後、子機２０２側の電源部１０９をＯＦＦ状態に制御する（ステップＳ６１５）。
【０１６０】
次に、接合状態で子機２０２側からの電源制御について、図２７を参照する。図２７は、親子機間の電源ＯＮ・ＯＦＦシーケンスを示す図である。
【０１６１】
このシーケンスは、通信端末装置の電源制御方法又は電源制御プログラムの一例であって、子機２０２の電源制御、子機２０２側から親機２０１への電源制御を実行するシーケンスである。
【０１６２】
そこで、この処理手順は、親機２０１と子機２０２とが接合状態であって、子機２０２側から親機２０１の電源をＯＮにする制御を含んでいる。
【０１６３】
子機２０２側では電源ボタン１８のＯＮ・ＯＦＦが監視され（ステップＳ７０１）、電源ボタン１８をＯＮにすると、電源部１０９がＯＮとなる（ステップＳ７０２）。このＯＮ状態への移行により、電源制御部５０から親機ＯＮ指示が生成される（ステップＳ７０３）。この親機ＯＮ指示は、親子通信制御部５６に通知され（ステップＳ７０４）、親子通信部５６から有線通信部１１２に通知され（ステップＳ７０５）、この有線通信部１１２から親機２０１側の有線通信部８４に通知される（ステップＳ７０６）。更に、この親機ＯＮ指示は、親子通信制御部４２に通知され（ステップＳ７０７）、この親子通信制御部４２から電源制御部３８に通知される（ステップＳ７０８）。この親機ＯＮ指示により、電源制御部３８は親機２０１の電源部８１をＯＮにする（ステップＳ７０９）。
【０１６４】
次に、分離状態で子機側の電源制御について、図２８を参照する。図２８は、子機側の電源ＯＦＦシーケンスを示す図である。
【０１６５】
このシーケンスは、通信端末装置の電源制御方法又は電源制御プログラムの一例であって、分離状態にある親機２０１の電源制御、親機２０１から子機２０２側の電源ＯＦＦの電源制御を実行するシーケンスである。
【０１６６】
そこで、この処理手順は、親機２０１と子機２０２とが分離状態であって、Bluetooth 通信を媒介として親機２０１側から子機２０２の電源をＯＦＦにする制御を含んでいる。
【０１６７】
親機２０１側では電源ボタン１６のＯＮ・ＯＦＦが監視され（ステップＳ８０１）、電源ボタン１６をＯＦＦにすると、電源制御部３８から子機ＯＦＦ指示が生成される（ステップＳ８０２）。この子機ＯＦＦ指示は、親子通信制御部４２に通知され（ステップＳ８０３）、親子通信制御部４２からBluetooth 通信部８２に通知され（ステップＳ８０４）、このBluetooth 通信部８２から子機２０２側のBluetooth 通信部１１０に通知される（ステップＳ８０５）。更に、この子機ＯＦＦ指示は、親子通信制御部５６に通知され（ステップＳ８０６）、この親子通信制御部５６から電源制御部５０に通知され（ステップＳ８０７）、電源制御部５０は子機２０２の電源部１０９をＯＦＦにする（ステップＳ８０８）。
【０１６８】
そして、親機２０１では、子機２０２に対する子機ＯＦＦ指示の生成の後、親機電源部８１をＯＦＦにする（ステップＳ８０９）。
【０１６９】
以上述べた実施の形態の特徴事項や効果を列挙する。
【０１７０】
(1) 親機と子機それぞれに電源を設け、分離中使わない方の電源をＯＦＦにすることで、電源を長持ちすることができる。接合時は通常の携帯電話と同じような仕様で電源制御することができ、ユーザが混乱なくスムーズに操作することができる。
【０１７１】
(2) セパレート型携帯電話機２０の電源制御について、親機２０１と子機２０２が分離時に、ユーザが使用シーン等に合わせて、自由自在に電源制御を行うことを可能にする。接合時、電源の切替え操作を簡略化でき、省電力化に寄与する。
【０１７２】
(3) セパレート型携帯電話機２０の親機２０１と子機２０２が接合時（ＵＡＲＴ有線接続）、分離時（Bluetooth 通信）に電源制御操作が可能である。
【０１７３】
(4) この電源制御では、親機２０１側の電源制御が子機２０２に優先しており、子機２０２側から親機２０１の電源をＯＦＦすることができないので、子機２０２側の操作で親機２０１の操作や機能が中断する等の不都合を回避できる。
【０１７４】
(5) 既述の電源制御パターンは以下の通りである。
【０１７５】
ａ）接合状態での電源のＯＮ／ＯＦＦ
【０１７６】
親機２０１又は子機２０２どちらかの電源ＯＮ／ＯＦＦ操作によって親子機双方の電源ＯＮ／ＯＦＦ状態が変化する。接合状態では、制御途上での過渡的な状態は別にして、親機と子機の電源ＯＮ／ＯＦＦ状態が異なることはない。
【０１７７】
ｂ）分離状態での電源のＯＮ／ＯＦＦ
【０１７８】
親機２０１、子機２０２の電源ＯＮ操作は、個々の電源ＯＮ操作により電源ＯＮ状態に変化する。即ち、親機２０１、子機２０２の電源ＯＦＦ操作は以下の通りである。
親機電源ＯＦＦ操作：親機・子機ともに電源ＯＦＦ
子機電源ＯＦＦ操作：子機のみ電源ＯＦＦ
親機２０１電源ＯＦＦ操作時はBluetooth （ＳＰＰ）経由で子機２０２に電源ＯＦＦのイベント即ち、ＯＦＦ指示を通知し、その通知に応じた電源制御となる。
【０１７９】
ｃ）分離状態から接合した場合の電源のＯＮ／ＯＦＦ制御
分離状態から接合状態にした際には親機の電源ＯＮ／ＯＦＦ状態にあわせて子機の電源ＯＮ／ＯＦＦを自動で行う。この場合、親機２０１と子機２０２の電源ＯＮ／ＯＦＦ状態は異ならない。
【０１８０】
〔他の実施の形態〕
【０１８１】
(1) 上記実施の形態では、子機２０２以外の外部との無線接続を行う無線通信部を備える親機２０１と、ユーザインターフェイス部を搭載した子機２０２とを分離可能としたセパレート型携帯電話機２０について例示したが、本発明は上記構成に限定されない。子機２０２側に無線通信部を備える構成でもよい。
【０１８２】
(2) ユーザが必要とする状況を想定して遅延なく近距離通信による親子機間の無線接続（親子機間通信制御）を行い、不要時には近距離通信の使用を停止して電力消費を低減することができる。上記実施の形態では、近距離通信としてBluetooth 通信手段を例示したが、本発明はBluetooth 通信に限定されない。他の通信規格や無線媒体を利用してもよい。
【０１８３】
(3) 上記実施の形態では、移動通信網と通信する機能及びＬＣＤディスプレイを持つ無線通信部を親機２０１に搭載し、キーパッドを持つキーパッド部で構成する機能部を子機２０２に搭載しているが、前者の機能を子機２０２側に、後者の機能を親機２０１側に搭載してもよい。
【０１８４】
(5) 上記実施の形態では、分離した際に通話や操作を可能とするため、近距離通信技術である無線ＬＡＮ機能やBluetooth 通信機能を利用している。Bluetooth 通信では、キーボード制御のためのＨＩＤ、通話制御のためのＨＦＰ等の通信制御方式を規格化している。このBluetooth 通信は、無線ＬＡＮよりも消費電力が小さくて済むという利点があるが、Bluetooth デバイスへ常時電力を供給する電池が消耗することになる。上記実施の形態では、未使用の場合はBluetooth デバイスの電源をＯＦＦにするので、消費電力を低減でき、セパレート型携帯電話機２０の低消費電力化をより高めることができる。
【０１８５】
(6) Bluetooth デバイスを使用する際にはデバイスへの電源投入と、ＨＩＤやＨＦＰといった通信を始める時間が必要になるために、実際にＬＣＤ部とキーパッド部が通信可能となるまでに時間がかかる。接合中から分離した直後から一定時間、おおよそ３秒程度待たないと、分離した機器同士は通信できない。このことは、分離直後には、キーパッド部から通話できないあるいはキー入力ができないことを意味するが、斯かる課題は上記実施の形態によって解決されている。
【０１８６】
(7) 上記実施の形態では、親機と子機とに分離される通信端末装置としてセパレート型携帯電話機２０を例示したが、これに限定されない。例えば、携帯情報端末機（ＰＤＡ：Personal Digital Assistant）４００（図２９）でもよいし、セパレート型電話機５００（図３０）であってもよい。
【０１８７】
ＰＤＡ４００では、図２９に示すように、親機４０１と子機４０２とに分離し、上記実施の形態と同様に構成すれば、既述の通信制御機能を実現することができる。図２９において、上記実施の形態と同一部分には同一符号を付し、その説明を省略する。
【０１８８】
セパレート型電話機５００では、図３０に示すように、親機５０１と子機５０２とに分離し、上記実施の形態と同様に構成すれば、既述の通信制御機能を実現することができる。図３０において、上記実施の形態と同一部分には同一符号を付し、その説明を省略する。この例では、子機５０２に表示部５０４が備えられ、親機５０１側には送受器５０６が備えられている。
【０１８９】
以上説明したように、通信端末装置、電源制御方法又は電源制御プログラムの実施の形態等について説明したが、本発明は、上記記載に限定されるものではなく、特許請求の範囲に記載され、又は発明を実施するための形態に開示された発明の要旨に基づき、当業者において様々な変形や変更が可能であることは勿論であり、斯かる変形や変更が、本発明の範囲に含まれることは言うまでもない。
【産業上の利用可能性】
【０１９０】
本開示の通信端末装置、電源制御方法又は電源制御プログラムは、セパレート型携帯電話機等、親機と子機に分離可能な通信端末装置の電源制御であって、親子機間の接合時と分離時との電源制御を異ならせ、通電状態又は非通電状態にある親機に子機を接合した場合に子機の電源制御状態を親機に連動させる等の制御により、電源操作の簡略化や省電力化を図っている。
【符号の説明】
【０１９１】
２  通信端末装置
４、１０  接合検出部
６、１２  状態検出部
８、１４  電源制御部
１６、１８  電源ボタン
２１、２０１  親機
２２、２０２  子機
３２、５２  接合・分離確認部
３８、５０  電源制御部
８１、１０９  電源部
８７、１１５  電源スイッチ部
【図１】
0005407769.tif 000002
【図２】
0005407769.tif 000003
【図３】
0005407769.tif 000004
【図４】
0005407769.tif 000005
【図５】
0005407769.tif 000006
【図６】
0005407769.tif 000007
【図７】
0005407769.tif 000008
【図８】
0005407769.tif 000009
【図９】
0005407769.tif 000010
【図１０】
0005407769.tif 000011
【図１１】
0005407769.tif 000012
【図１２】
0005407769.tif 000013
【図１３】
0005407769.tif 000014
【図１４】
0005407769.tif 000015
【図１５】
0005407769.tif 000016
【図１６】
0005407769.tif 000017
【図１７】
0005407769.tif 000018
【図１８】
0005407769.tif 000019
【図１９】
0005407769.tif 000020
【図２０】
0005407769.tif 000021
【図２１】
0005407769.tif 000022
【図２２】
0005407769.tif 000023
【図２３】
0005407769.tif 000024
【図２４】
0005407769.tif 000025
【図２５】
0005407769.tif 000026
【図２６】
0005407769.tif 000027
【図２７】
0005407769.tif 000028
【図２８】
0005407769.tif 000029
【図２９】
0005407769.tif 000030
【図３０】
0005407769.tif 000031